(57)【要約】      （修正有）【課題】男性器周辺部、または両太腿内側の発汗に由来する蒸れ等による不快感を解消し、蒸れに起因する湿しん、汗疹など、種々の皮膚疾患を予防する男性用人体工学機能性下着の提供。【解決手段】従来のボクサー型、あるいはトランクス型下着の内側に２枚のあて布を設け、これらあて布によって陰嚢両側と太腿を隔離する。陰嚢と太腿間の発汗による湿気を常に吸収、乾燥し、下着が陰茎と陰嚢に接触する２枚のあて布の間の部分には、軟質で通気性に優れた綿、あるいはアセテート繊維製の生地を使用する。陰茎や陰嚢が圧迫を受けることなく自由に動くので、常に乾燥した快適な環境を保ち、さらに、股下を１０センチメートル以上延長し、発汗時や運動時でも両太腿の内側が直接触れない構造として、両太腿の擦れを防止する。【選択図】図４
0003132922.tif 000002
【実用新案登録請求の範囲】
【請求項１】
ボクサー型男性用下着前面内側に２枚のあて布を持たせ、この２枚のあて布の吸汗性及び隔離効果により、男性器と陰嚢周辺部皮膚の発汗や接触によって生じる蒸れ、べた付き、異臭など不快感の解消、ならびに詳述症状に起因して発症する湿しん、かぶれや汗疹などの皮膚疾患を完全に防止する人体工学機能性下着。
【考案の詳細な説明】
【技術分野】
【０００１】本考案は、スポーツや体力労働する際の発汗或いは肥満多汗に起因する陰嚢と大腿部の間、または両太腿内側の蒸れやかぶれに起因する湿しん、汗疹など皮膚病を完全に防止することを目的とした男性用機能性下着に関する。
【背景技術】
【０００２】男性用下着は一般的に、ブリーフ型、トランクス型とボクサー型の３種類に分けられる。ブリーフ型は陰嚢と太腿の間に生地が入るため、陰嚢周辺皮膚の蒸れを低減する効果を持つものの、着用中は陰茎と陰嚢が圧着されることによって通気性が悪化し、陰茎と陰嚢が接触する部分では、蒸れに起因する不快感やそれに伴う皮膚疾患等が生じ得る。【０００３】ブリーフ型下着は、構造的に両太腿内側の皮膚を隔離することができないため、歩行時や運動時に太腿部内側が発汗して濡れた皮膚が擦りあい、痒み等の不快感を引き起こす。この症状が更に進行すれば、湿しんや汗疹等の皮膚疾患に進展し得る。【０００４】トランクス型やボクサー型下着は、股より下部まで生地が延長しているため、両太腿間の蒸れや、擦れによる不快感をある程度低減することができるが、陰嚢と太腿を隔離する構造になっていないため、陰嚢周辺皮膚が蒸れやすくなる欠点を抱えている。【０００５】過去に考案された男性用下着には、隔離した空間を設けるなどの工夫により、蒸れを解消することを主眼に考案されたものがある。また、男性器の運動による不快感を解消することを目的とした考案等がある等。しかし、必要な機能を単純な構造ですべて満たす例はない。【０００６】過去に考案された男性用下着には、一つの目的を達成する工夫のために、男性用下着に必要な機能が犠牲にされる例が数多く見られた。たとえば、小用に便利な改良を目的としながら、一方で、下着という皮膚にきわめて近い衣類にファスナーを用いるなど、標準的なブリーフやボクサーパンツなどでは見られなかった複雑な構造を併せ持つことになってしまう。【０００７】通気性のみに着眼した場合、通常の下着用生地をメッシュ生地に置き換えたものなど、通気性の確保が自然通風に依存する考案も見られた。これらは、自然通風による乾燥は期待できるものの、男性器等局部部位等の運動性によってより効果的に通気性を確保する手段とはなり得ていない。【０００８】運動などを行う際に男性器の保持が必要であることは以前から知られており、これは、スポーツ用品としての機能を満たすものとはなり得るが、このような考案では、フィット性を重視する点では課題を解決しているといえるが、小用の際の利便性が犠牲になっている。
【特許文献】特願２００３−１５０５４０、特願平７−２２０９８５、特願２０００−５２４２７、特願平１１−１６５５。
【実用新案文献】
実用新案２０００−９１６６、
【考案の開示】
【考案が解決しようとする課題】
【０００９】  本考案が解決しようとする課題は、夏場の高気温高湿度などの環境的要因、肥満多汗などの身体的要因、運動時など行為にかかる要因等の諸要因により発生する発汗に伴って発生する、陰茎、陰嚢周辺ならびに両太腿間の蒸れ、かぶれ、異臭の発生等を完全に防止し、これら症状に起因する湿しん、汗疹など皮膚疾患を予防する男性用機能性下着を提供すること。
【課題を解決するための手段】
【００１０】  本考案は、ポクサー型下着の内側に、股の後部から股下そして股前部に向かってＶ字型に設置されている２枚のあて布を縦に設ける。本案の下着を着用する際、２枚のあて布は異例なく陰嚢両側の隙間奥まで入り、陰茎や陰嚢を完全に太腿内側から隔離する。発汗した場合、上述２枚のあて布が、陰嚢両側と太腿に接触している部分の汗を吸収し、繊維の毛細管現象により、汗を外側へ排出し、陰嚢周辺の乾燥状態を維持する。【００１１】  着用時に下着を上へ引き上げても、２枚のあて布が股に当たって止まるため、ブリーフ型下着と異なり、陰茎と陰嚢を下着が圧迫せず、男性器が自由に移動する。さらに、男性器の前面部分には通気性に優れた素材を採用するため、陰茎と陰嚢周辺の発汗による湿気を乾燥させやすい構造としている。【００１２】  本考案の下着は、股下を１０センチメートル下へ向かって伸ばした構造になっているため、両太腿は完全に隔離され、どのようなズボンを着用しても太腿の内側同士が擦り合うことはない。ブリーフ型下着を着用した場合に発生する、太腿内側の蒸れ、などの不快感、かぶれや痒みなど皮膚疾患をもれなく解決できる。
【考案の効果】
【００１３】本考案の男性下着は、着用する際、下着の内側に設けた２枚のあて布が異例なく男性器や陰嚢の左右に１枚ずつ入る構造となっている。また、あて布には吸汗性と速乾性に優れた生地を選定して使用する。それにより、陰嚢両側、太腿など、男性器周辺部において、皮膚が接触しうる部分の蒸れなどの不快感を解消し、かつ、上述症状に起因する湿しん、汗疹、痒みなど皮膚疾患を予防する効果がある。【００１４】下着の股下を１０センチメートル以上長くしているため、太腿内側の擦れをなくし、発汗の際や、歩行時など、汗によって濡れた皮膚が擦れることによる不快感、また、それに起因にする皮膚疾患を予防する効果がある。【００１５】男性器前面、陰嚢の下部に、通気性に優れた生地を選択して使用し、また、陰茎や陰嚢を圧迫しない構造としているため、一定の範囲で自由に動く。よって、陰茎や陰嚢周辺は常に乾燥している。本考案の下着を着用すれば、歩行時、座時、運動時、就寝時を問わず、発汗による各種不快感を解消しうるのみならず、清潔、快適、健康な着用効果が得られる。【００１６】従来の下着に２枚のあて布を追加するだけの単純な構造であるため、着用時、洗濯時、小用時等における機能は、通常の下着と何ら変わりなく、今までの下着と同様に使用できる利便性を持つ。【００１７】使用時の利便性を持ちながら、従来の下着の諸問題すべてを同時に解決することを可能し、かつ、単純な構造は大量生産に適している。これによって、比較的低廉な価格で製造供給することが可能となるため、市場普及性にも優れている。
【考案を実施するための最良の形態】
【００１８】ボクサー型、あるいはトランクス型男性用下着の内側に２枚のあて布を追加する。この２枚のあて布は股の後部から股下、そして股前部に向かってＶ字型に設置する。２枚のあて布の表面には吸汗性に優れ、乾燥が速く、かつ皮膚に優しい綿やアセテートなどのメッシュを選定する。陰茎や陰嚢の下部と前面に当たる部分には通気性がよく、陰茎や陰嚢を圧迫しない柔軟性、伸縮性を併せ持った生地を採用する。下着の股下は最低１０センチメートル以上とする。
【実施例１】
【００１９】図４は、本考案男性下着の一実施例の立体図であって、ボクサー型下着の股下を１０センチメートル以上延長し、内側に２枚のあて布を設置したものである。下着全体には１００パーセント綿の生地を使用しているが、あて布に当たる部分表面に、網状のアセテート生地を縫いあわせている。また、下着の前面に位置する２枚のあて布の間の部分には、通気性に優れ、かつ比較に軟質の生地を選択して使用している。
【図面の簡単な説明】
【００２０】
【図１】男性器周辺部の図
【図２】ブリーフ型下着の構造  ブリーフ型下着は陰嚢部左右両側に生地が入り、陰嚢と太腿を隔離する効果はあるが、両太腿内側の擦れが生じうる箇所の隔離はできない。ブリーフ型下着は陰茎部と陰嚢部に圧迫を与え、一定の気密性が維持されるため、発汗に由来する水蒸気が下着内部にこもり、蒸れや臭いが発生する原因となる。
【図３】ボクサー型下着の構造  ボクサー型下着は、股下部分が両太腿の間に伸びていて、両太腿を隔離している。発汗時の蒸れ、両太腿間の接触や擦れによる不快感を解消する機能は持っているが、陰嚢部両側と太腿が接触する箇所における、蒸れ防止対策は施されていない。
【図４】本考案の男性下着の構造
【符号の説明】
１、陰茎
２、陰嚢
３、陰嚢と太腿内側との接触箇所。蒸れやすい場所。
４、両太腿の内側の接触箇所。発汗時にぬれた皮膚が擦れ合い、蒸れやすくなる場所。
５、太腿内側
６、陰嚢と太腿を隔離するためのあて布、左右２枚
７、陰茎や陰嚢に圧迫を与えない、軟質、かつ通気性に優れた前面布
ｈ、股下の長さ
【図１】
0003132922.tif 000003
【図２】
0003132922.tif 000004
【図３】
0003132922.tif 000005
【図４】
0003132922.tif 000006
【手続補正書】
【提出日】平成18年11月7日(2006.11.7)
【手続補正１】
【補正対象書類名】実用新案登録請求の範囲
【補正対象項目名】全文
【補正方法】変更
【補正の内容】
【実用新案登録請求の範囲】
【請求項１】
ボクサー型男性用下着前面内側に２枚のあて布を持たせ、この２枚のあて布の吸汗性及び隔離効果により、男性器と陰嚢周辺部皮膚の発汗や接触によって生じる蒸れ、べた付き、異臭など不快感の解消、ならびに蒸れ、べた付きに起因して発症する湿しん、かぶれや汗疹などの皮膚疾患を完全に防止する人体工学機能性下着。